(57)【要約】【課題】ＢＥＲ測定装置において、ＯＦＤＭ変／復調部に従来とは異なるＢＥＲ測定のための簡易な同期処理機能とＢＥＲ測定機能を持たせ、従来のガードインターバル信号の相関等の手法による同期処理を行なうことなく、変／復調器による同期処理とＢＥＲ測定を可能にする。【解決手段】同期処理を実行する際に一定周期信号を出力する一定周期信号出力手段（Ｓ１２）と、一定周期信号出力手段から出力される一定周期信号に基づいて同期信号を生成する同期処理手段（Ｓ１３〜Ｓ１４）と、ＢＥＲ測定を実行する際にＯＦＤＭ変調信号を出力するＯＦＤＭ変調手段（Ｓ１６）と、ＯＦＤＭ変調手段から出力される前記ＯＦＤＭ変調信号を入力し（Ｔ３）前記同期信号を用いてＯＦＤＭ復調するＯＦＤＭ復調手段と、ＯＦＤＭ復調手段でＯＦＤＭ復調されたＯＦＤＭ復調信号に基づきＢＥＲ測定を行うＢＥＲ測定手段（Ｓ１８〜Ｓ１９）を備えるようにした。【選択図】図８
2011030070.tif 000002
【特許請求の範囲】
【請求項１】
同期処理を実行する際に一定周期信号を出力する一定周期信号出力手段と、
前記一定周期信号出力手段から出力される前記一定周期信号に基づいて同期信号を生成する同期処理手段と、
ＢＥＲ測定を実行する際にＯＦＤＭ変調信号を出力するＯＦＤＭ変調手段と、
前記ＯＦＤＭ変調手段から出力される前記ＯＦＤＭ変調信号を入力し前記同期信号を用いてＯＦＤＭ復調するＯＦＤＭ復調手段と、
前記ＯＦＤＭ復調手段でＯＦＤＭ復調されたＯＦＤＭ復調信号に基づきＢＥＲ測定を行うＢＥＲ測定手段
を備えたことを特徴とするＢＥＲ測定装置。
【発明の詳細な説明】
【技術分野】
【０００１】
本発明は、ＢＥＲ測定装置に係り、特に、簡易な同期処理によりＯＦＤＭ変／復調器に対する同期とＢＥＲ測定を行うことができるＢＥＲ測定装置に関する。
【背景技術】
【０００２】
現在の地上デジタル放送では、変調方式としてマルチパスによる電波障害に強いＯＦＤＭ（Orthogonal Frequency Division Multiplex:直交周波数分割多重）変調方式が採用されている。地上デジタル放送では、送信装置から受信装置に映像データや音声データを送信する際、伝送途中で様々な要因（電波の伝送路の状態による電界強度の減衰、マルチパスの発生など）により伝送データの品質が劣化する。このため、ＦＰＵ（Field Pickup Unit）と呼ばれる可搬型の中継装置などでは受信電界強度やＢＥＲ（Bit Error Rate）を測定しアンテナの方向調整を行うなどの対策が必要となる。例えば特開２００５−８６３８６号公報によれば、受信電界強度とＢＥＲ値を測定し、予め記憶された特性データと比較してモニタに表示するものが開示されている。
このように、地上デジタル放送に限らず、ＯＦＤＭ変調方式を採用した地上デジタル放送設備では伝送品質を高品質に維持するために受信電界強度やＢＥＲを測定することが重要である。
【先行技術文献】
【特許文献】
【０００３】
【特許文献１】特開２００５−８６３８６号公報
【発明の概要】
【発明が解決しようとする課題】
【０００４】
ところで、ＯＦＤＭ変調方式とは、マルチキャリア変調方式の一種で、デジタル変調された多数のサブキャリアを互いに干渉しあわないように直交関係で加え合わせる変調方式である。このときサブキャリアはＱＰＳＫ（Quadrature Phase Shift Keying）方式などの変調方式が用いられ、これらサブキャリアが合成されてＯＦＤＭ信号となっている。このＯＦＤＭ信号は、所定の信号単位（シンボル）から構成される。このシンボルは、本来の１シンボルの期間である有効シンボル期間と、この有効シンボル期間の後の部分を有効シンボルの前の部分にコピーしたガードインターバルを有している。ＯＦＤＭ変調器開発時の変調部の性能評価としてＢＥＲ測定を行う場合、ＯＦＤＭ復調部側で、このガードインターバル信号の相関等の手法による同期処理が必要となる。同期処理のソフトウェア開発には設計、コーディング、デバックと開発期間を要するため、変調部の性能評価を行うまでに多くの時間を必要としていた。
【０００５】
本発明の目的は、上記問題点に鑑み、ＯＦＤＭ変／復調部に従来とは異なるＢＥＲ測定のための簡易な同期処理機能とＢＥＲ測定機能を持たせ、従来のガードインターバル信号の相関等の手法による同期処理を行なうことなく、変／復調器による同期処理とＢＥＲ測定を可能にすることにある。
【課題を解決するための手段】
【０００６】
本発明のＢＥＲ測定装置は、同期処理を実行する際に一定周期信号を出力する一定周期信号出力手段と、前記一定周期信号出力手段から出力される前記一定周期信号に基づいて同期信号を生成する同期処理手段と、ＢＥＲ測定を実行する際にＯＦＤＭ変調信号を出力するＯＦＤＭ変調手段と、前記ＯＦＤＭ変調手段から出力される前記ＯＦＤＭ変調信号を入力し前記同期信号を用いてＯＦＤＭ復調するＯＦＤＭ復調手段と、前記ＯＦＤＭ復調手段でＯＦＤＭ復調されたＯＦＤＭ復調信号に基づきＢＥＲ測定を行うＢＥＲ測定手段を備えたことを特徴とする。
【発明の効果】
【０００７】
本発明によれば、ＯＦＤＭ変／復調器の製品開発時、多くの開発期間を要する同期処理のソフトウェア開発の開発完了前に、簡易な同期処理機能とＢＥＲ測定機能を使って同期処理とＢＥＲ測定を行うことができ、これによりＯＦＤＭ変／復調器の機能・性能調整を行うことができる。
【図面の簡単な説明】
【０００８】
【図１】本発明の実施形態であるＢＥＲ測定装置の、システム構成図である。
【図２】本発明の実施形態であるＢＥＲ測定装置の、ＯＦＤＭ変調処理部の構成図である。
【図３】本発明の実施形態であるＢＥＲ測定装置の、ＯＦＤＭ復調処理部の構成図である。
【図４】本発明の実施形態であるＢＥＲ測定装置に使用される疑似ＯＦＤＭ変調信号の波形を示したものである。
【図５】本発明の実施形態であるＢＥＲ測定装置に使用される同期用トーン信号の波形を示したものである。
【図６】本発明の実施形態であるＢＥＲ測定装置の、同期処理のフローチャートである。
【図７】本発明の実施形態であるＢＥＲ測定装置の、同期処理を説明する図である。
【図８】本発明の実施形態であるＢＥＲ測定装置の、ＢＥＲ自動測定の処理フローチャートである。
【発明を実施するための形態】
【０００９】
次に、本発明を実施するための実施形態を、図面を参照して具体的に説明する。
【００１０】
図１は本発明によるＯＦＤＭ送信機のＢＥＲ測定装置の一実施形態を示したものである。
図１に示したＢＥＲ測定装置１０は、ＯＦＤＭ変調器１１とＯＦＤＭ復調器１２から構成される。ＯＦＤＭ変調器１１はＯＦＤＭ変調処理を行うＯＦＤＭ変調処理部１３と、ＯＦＤＭ変調処理部１３からのデジタル信号をアナログ信号に変換するＤ／Ａコンバータ１６とから構成される。また、ＯＦＤＭ復調器１２はＤ／Ａコンバータ１６からのアナログ信号をデジタル信号に変換するＡ／Ｄコンバータ１８と、Ａ／Ｄコンバータ１８からのデジタル信号を入力してＯＦＤＭ復調処理を行うＯＦＤＭ復調処理部１９とから構成される。ここでＯＦＤＭ変調処理部１３とＯＦＤＭ復調処理部１９はＤＳＰ（Digital Signal Processor）として構成することができる。
また、ＯＦＤＭ変調器１１とＯＦＤＭ復調器１２は信号ケーブル１５によって接続されている。地上デジタル放送における接続形態は、電波による伝送、有線放送ではケーブルによる伝送等であるが、本実施の形態では、送／受信機について、製品開発の際、あるいは必要に応じて送／受信機を点検する際、簡易にＯＦＤＭ送信機のＢＥＲ測定を行うものであるから、ＯＦＤＭ変調器１１とＯＦＤＭ復調器１２は信号ケーブル１５によって接続するようにしている。しかしながら、信号ケーブル以外の伝送手段であっても良い。
【００１１】
従来のＯＦＤＭ送信機のＢＥＲ測定は、例えば特許文献１に記載されているように、ＯＦＤＭ変調処理された映像データ、音声データ、文字データなどを受信し、ガードインターバル信号や同期シンボルなどを使って同期信号を生成し、この生成された同期信号を使ってＯＦＤＭ信号を復調してＢＥＲ測定を行うものが一般的である。
これに対して、本実施形態によるＢＥＲ測定装置１０は、ＯＦＤＭ変調処理部１３からＯＦＤＭ復調処理部１９に同期用トーン信号（一定周期信号；後述の図５の、同期用トーン信号５６参照）と疑似ＯＦＤＭ変調信号（ＯＦＤＭ変調信号；後述の図４の疑似ＯＦＤＭ変調信号５２参照）を送り、ＯＦＤＭ復調処理部１９において、送られた同期用トーン信号５６を使いＯＦＤＭ変調信号のフレームに同期した同期信号を生成し、この生成された同期信号を使って疑似ＯＦＤＭ変調信号５２を復調し、ＢＥＲ測定を行うものである。これにより、製品開発時に同期処理のソフトウェア開発の完了を待つことなしにＯＦＤＭ送信機のＢＥＲ測定を簡易に行うことができる。同期処理のソフトウェア開発には多くの開発期間を要するが、本実施の形態のＯＦＤＭ送信機のＢＥＲ測定装置によってＯＦＤＭ復調器完成前にＯＦＤＭ変／復調器の機能・性能調整を行うことができるようになる。
【００１２】
図２に、ＯＦＤＭ変調処理部１３の更に詳細な構成を示す。ＯＦＤＭ変調処理部１３は、同期処理部２１、ＢＥＲ測定処理部２３、出力切替部２８から構成される。
ここで、同期処理部２１は、同期用信号である同期用トーン信号５６を生成する同期用トーン信号生成部（一定周期信号出力手段）２２から構成される。また、ＢＥＲ測定処理部２３は、ＰＮ９データ生成部２４、マッピング部２５、フーリエ逆変換部（ＩＦＦＴ）２６、ガードインターバル付加部２７から構成される。ここで、マッピング部２５、フーリエ逆変換部（ＩＦＦＴ）２６、ガードインターバル付加部２７はＯＦＤＭ変調手段を構成している。また、出力切替部２８は、同期処理時に同期用トーン信号生成部２２からの同期用トーン信号５６を出力し、ＢＥＲ測定時にガードインターバル付加部２７からの疑似ＯＦＤＭ変調信号５２を出力するように切替えるスイッチから構成される。
【００１３】
ＢＥＲ測定処理部２３におけるＰＮ９データ生成部２４は、ＰＮ系列の疑似ランダムパターン信号を９段（ＰＮ９段）のビットシフト回路で生成して出力する部位である。
マッピング部２５は、ＰＮ９データ生成部２４から入力された疑似ランダムパターン信号を基に、キャリア変調（マッピング）とＯＦＤＭ変調を行う部位である。
フーリエ逆変換部（ＩＦＦＴ）２６は、マッピング部２５でＯＦＤＭ変調された周波数上の信号を時間上の信号（ＯＦＤＭ有効シンボル波形）にフーリエ逆変換して出力する部位である。
ガードインターバル付加部２７はフーリエ逆変換部（ＩＦＦＴ）２６から出力されたＯＦＤＭ有効シンボル波形にガードインターバルを付加する部位である。ここで、ガードインターバルとは、ＯＦＤＭ有効シンボル波形の前の部分に、ＯＦＤＭ有効シンボルの後の部分の波形を付加するものである。
【００１４】
出力切替部２８のスイッチは、同期用トーン信号生成部２２に接続された接点ａと、ガードインターバル付加部２７に接続された接点ｂと、Ｄ／Ａコンバータ１６に接続された出力端子ｃを有し、同期処理時には接点ａと出力端子ｃが接続され、ＢＥＲ測定時には接点ｂと出力端子ｃが接続される。
【００１５】
図３に、ＯＦＤＭ復調処理部１９の更に詳細な構成を示す。ＯＦＤＭ復調処理部１９は、同期処理部（同期処理手段）３１、ＢＥＲ測定処理部３３、入力切替部３４から構成される。
ここで、同期処理部３１は、同期用信号である同期用トーン信号（図５の同期用トーン信号５６参照）を受信して同期処理し、ＯＦＤＭ変調信号のフレームに同期した同期信号を生成する同期信号生成３２から構成される。同期信号生成３２は、後述するように同期用受信バッファ６１（６１−１、・・・、６１−ｎ）を備えている。また、ＢＥＲ測定処理部３３は、ガードインターバル除去部３５、フーリエ変換部（ＦＦＴ）３６、デマッピング部３７、ＢＥＲ測定部（ＢＥＲ測定手段）３８から構成される。ここで、ガードインターバル除去部３５、フーリエ変換部（ＦＦＴ）３６、デマッピング部３７はＯＦＤＭ復調手段を構成している。また、入力切替部３４は、同期処理時に入力した同期用トーン信号５６を同期信号生成部３２に出力し、ＢＥＲ測定時に入力した疑似ＯＦＤＭ変調信号５２をＢＥＲ測定処理部３３に出力するように切替えるスイッチから構成される。
【００１６】
ＢＥＲ測定処理部３３におけるガードインターバル除去部３５は、入力切替部３４を介して入力したＯＦＤＭ変調信号から、ガードインターバル付加部２７で付加されたガードインターバルを除去し、ＯＦＤＭ有効シンボルのみとしてフーリエ変換部（ＦＦＴ）３６に出力する部位である。
フーリエ変換部（ＦＦＴ）３６は、ガードインターバル除去部３５から入力した時間上の信号であるＯＦＤＭ有効シンボルデータを周波数上の信号にフーリエ変換して出力する部位である。
デマッピング部３７は、フーリエ変換部（ＦＦＴ）３６から入力された周波数上の信号を基に、キャリア復調処理やＯＦＤＭ復調処理を行い、ＰＮ９データ生成部２４で生成されたＰＮ系列の疑似ランダムパターン信号に復元する部位である。
ＢＥＲ測定処理部３３は、デマッピング部３７からの復元されたＰＮ系列の疑似ランダムパターン信号に含まれるビットエラーをカウントしＢＥＲを測定する部位である。ここで送受信信号としてＰＮ９段の疑似ランダムパターン信号が使われているので、容易にしかも正確にビットエラーをカウントすることができる。
【００１７】
入力切替部３４のスイッチは、同期信号生成部３２に接続された接点ｄと、ガードインターバル除去部３５に接続された接点ｅと、Ａ／Ｄコンバータ１８の出力端子に接続された入力端子ｆを有し、同期処理時には接点ｄと入力端子ｆが接続され、ＢＥＲ測定時には接点ｅと入力端子ｆが接続される。
【００１８】
同期処理時において同期信号生成部３２で同期用トーン信号５６を基に同期信号が生成されているので、ＢＥＲ測定時には、前もって生成されたこの同期信号により、ガードインターバル除去部３５、フーリエ変換部（ＦＦＴ）３６、デマッピング部３７、ＢＥＲ測定部３８におけるデータをＯＦＤＭ変調信号のフレームに同期して処理することができる。
【００１９】
図４は、ガードインターバル付加部２７から出力される疑似ＯＦＤＭ変調信号５２の信号波形を示したものである。図４中に所定の間隔をもって点線で示された５３はフレーム先頭位置を示したもので、これらフレーム先頭位置５３で区切られた１区間がＯＦＤＭフレームに相当するフレーム５１である。疑似ＯＦＤＭ変調信号５２の信号波形はＰＮ９段のＰＮ系列の疑似ランダムパターン信号であり、ランダム波形となっていることが示されている。
【００２０】
図５は、同期用トーン信号生成部２２から出力される同期用トーン信号５６である。フレーム５１は図４のフレーム５１に同じである。同期用トーン信号５６は疑似ＯＦＤＭ変調信号５２のフレーム先頭位置５３から所定の一定値期間５４だけ、特定の一定値Ａに保持して、残りのトーン信号期間５５を正弦波状のトーン信号としたものである。同期用トーン信号５６の１周期は疑似ＯＦＤＭ変調信号５２の１周期と同じフレーム５１の期間に設定されている。
【００２１】
図６はＯＦＤＭ復調器１２での同期処理のフローチャートであり、図７は図６に対応した同期処理の説明図である。
【００２２】
まず、ステップＳ１で、出力切替部２８のスイッチが接点ａ側に切替えられ、入力切替部３４のスイッチが接点ｄ側に切替えられて同期処理が開始される。このとき同期用トーン信号生成部２２から図５、図７に示した同期用トーン信号５６が出力され、ＯＦＤＭ復調処理部１９の同期信号生成部３２はこの同期用トーン信号５６を受信する。
【００２３】
ステップＳ２において、同期信号生成部３２は同期用受信バッファ６１（６１−１、６１−２、・・・６１−ｎ）に入力されたサンプリングデータに基づき同期用トーン信号５６のパワーを算出する。このときの同期用受信バッファ６１に採取されるサンプリングデータは、同期用トーン信号５６のフレーム５１の内、一定値期間５４に相当するサンプリング期間長において同期用トーン信号５６のデータがサンプリングされる。
【００２４】
ステップＳ３において、同期信号生成部３２は同期判定を行う。例えば、まず、ステップＳ２において同期用受信バッファ６１が同期用トーン信号５６に対して同期用受信バッファ６１−１で示した位置によりデータをサンプリングしたとする。この場合、サンプリングデータに基づき算出された同期用トーン信号５６のパワーは、特定の一定値Ａに保持された一定値期間５４に対するパワー（予め同期判定用に記憶してある同期判定用基準パワー）に対し異なる値となる。この場合、算出されたパワーと同期判定用基準パワーと比較することにより同期していない（Ｎｏ）と判定する。
【００２５】
ステップＳ３において同期していないと判定された場合は、ステップＳ４において同期用受信バッファ６１の位置を変更しステップＳ２に戻る。例えば、同期用受信バッファ６１を同期用トーン信号５６に対して同期用受信バッファ６１−２で示した位置に変更しステップＳ２に戻る。
【００２６】
以下、ステップＳ２〜ステップＳ４を、同期したと判定されるまで繰り返す。例えば、同期用受信バッファ６１が６１−１、６１−２、６１−３、・・・６１−（ｎ−１）ではステップＳ３において同期していない（Ｎｏ）と判定される。順次繰り返し、同期用受信バッファ６１が６１−ｎの位置に来たときサンプリング期間が一致し、サンプリングデータは特定の一定値Ａとなる。このとき特定の一定値Ａに基づき算出された同期用トーン信号５６のパワーは、予め記憶した同期判定用基準パワーに一致する。これによりステップＳ３においてＹｅｓと判定され、ステップＳ５に進む。この場合、サンプリングする位置の移動を、最初は広い間隔で、そして６１−ｎの位置に漸近するに従い移動する間隔を小さくするようにすれば速く一致させることができる。なお、６１−ｎの位置を行き過ぎた場合は戻りながら６１−ｎの位置に収束させる。
【００２７】
ステップＳ５において、同期信号生成部３２は同期位置を確定し同期処理を終了すると共に、出力信号切替通知信号（後述のステップＳ１５参照）を出力する。以後、同期信号生成部３２はＯＦＤＭフレームの周期に同期して同期信号を出力する独立同期処理工程（後述のステップＳ１７）に移行する。
【００２８】
図８は、ＯＦＤＭ変調器１１とＯＦＤＭ復調器１２から構成されるＢＥＲ測定装置１０の、ＢＥＲ自動測定処理の処理フローを示したものである。
【００２９】
まず、ステップＳ１１において、図示しないスイッチなどからＢＥＲ測定装置１０にＢＥＲ自動測定開始信号が入力されると、ＢＥＲ自動測定が開始される。
【００３０】
ＢＥＲ自動測定が開始されると、ステップＳ１２において、ＯＦＤＭ変調器１１は出力切替部２８のスイッチを接点ａ側に切替え、同期用トーン信号生成部２２から同期信号生成部３２へ図５に示した同期用トーン信号５６を出力する（タイミングＴ１）。
【００３１】
また、ＢＥＲ自動測定が開始されると、ステップＳ１３において、ＯＦＤＭ復調器１２のＯＦＤＭ復調処理部１９は入力切替部３４のスイッチを接点ｄ側に切替え、同期信号生成部３２はこの同期用トーン信号５６の受信を開始する（タイミングＴ１）。
【００３２】
ステップＳ１３では、上記同期処理工程におけるステップＳ１〜ステップＳ４を実行し、同期が取れたと判定されたとき同期処理を終了する（ステップＳ１４（ステップＳ５に同じ））。
【００３３】
ＯＦＤＭ復調処理部１９の同期信号生成部３２はステップＳ１４において同期処理を終了すると、ステップＳ１５において出力信号切替通知信号を出力する。この出力信号切替通知信号が出力されると、ＯＦＤＭ復調処理部１９では入力切替部３４のスイッチが接点ｅ側に切替えられる。
【００３４】
また、この出力信号切替通知信号はＯＦＤＭ変調器１１にも送信される（タイミングＴ２）。ステップＳ１６において、出力信号切替通知信号を受信したＯＦＤＭ変調器１１は出力切替部２８のスイッチを接点ｂ側に切替え、更に、ＢＥＲ測定処理部２３からは疑似ＯＦＤＭ変調信号５２が出力される。ＢＥＲ測定処理部２３からＯＦＤＭ復調器１２に出力された疑似ＯＦＤＭ変調信号５２は、ＯＦＤＭ復調処理部１９のＢＥＲ測定処理部３３で受信される（タイミングＴ３）。
【００３５】
ＯＦＤＭ復調器１２は、ステップＳ１３〜ステップＳ１４で獲得した同期情報に基づいてステップＳ１７において独立同期処理を開始する。これにより同期信号生成部３２はＯＦＤＭ変調波のフレームに同期した同期信号をＢＥＲ測定処理部３３の各部位に供給することができるようになる。なお、疑似ＯＦＤＭ変調信号５２に同期用パイロット信号を付加して送信すれば、同期信号の同期タイミングを精度良く維持することができる。
【００３６】
ステップＳ１７で独立同期処理が開始されると、ＯＦＤＭ変調器１１とＯＦＤＭ復調器１２は同期が取れた状態となるので、ステップＳ１８でＢＥＲ測定を開始する。ＯＦＤＭ復調器１２のＢＥＲ測定処理部３３は、デマッピング部３７からの復元されたＰＮ系列の疑似ランダムパターン信号に含まれるビットエラーをカウントしＢＥＲを測定する。ここで送受信信号としてＰＮ９段の疑似ランダムパターン信号が使われているので、容易にしかも正確にビットエラーをカウントすることができる。
【００３７】
ＢＥＲを所定時間測定し、ステップＳ１９においてＢＥＲ測定を終了する。ＢＥＲ測定を終了するとステップＳ２０において、ＢＥＲ自動測定終了処理が実行される。ＢＥＲ自動測定終了処理としては、疑似ＯＦＤＭ変調信号５２や同期用トーン信号５６の生成停止、ＢＥＲ自動測定終了通知処理、必要に応じて電源供給停止などの処理を含むことができる。
【００３８】
以上の実施形態では、疑似ＯＦＤＭ変調信号５２としてＰＮ９段の疑似ランダムパターン信号を使用しているが、これに限らず、ＰＮ１５段、ＰＮ２３段等も使用することができる。また、上記実施形態では、同期用信号として図５に示したような同期用トーン信号５６を用いているが、これに限定されず、周期を検出することが可能であれば、その他の形状の一定周期信号を用いることができる。例えばトーン信号期間５５の値を、一定値期間５４の特定の一定値Ａと異なる一定値Ｂとしたような信号であっても良い。また、上記実施形態のＢＥＲ測定はＯＦＤＭ変調器１１とＯＦＤＭ復調器１２を総合した測定となるが、ＯＦＤＭ復調器１２はＢＥＲ測定専用に作られたＢＥＲ専用測定装置を使用した測定としても良い。この場合、ＢＥＲ専用測定装置として機能、性能をＯＦＤＭ変調器１１とは別に評価しておけば、ＢＥＲ専用測定装置によってＢＥＲ測定した結果に基づき、ＯＦＤＭ変調器１１のＢＥＲ評価や機能、性能評価が行え、ＯＦＤＭ変調器１１の機能、性能を評価することができる。また、上記実施形態では、出力切替部２８、入力切替部３４を備えるものとしたが、同期処理を実行する際とＢＥＲ測定を実行する際に、同期用トーン信号や疑似ＯＦＤＭ変調信号を場合分けして入出力することができるものであれば、必ずしも出力切替部２８や入力切替部３４を必要としない。例えば数種類の波形をプログラム発生することができるＤＳＰなどを使用すればよい。
【００３９】
上記本発明の実施形態によれば、ＯＦＤＭ変／復調器の製品開発時、多くの開発期間を要する同期処理のソフトウェア開発の開発完了前に、簡易な同期処理機能とＢＥＲ測定機能を使って同期処理とＢＥＲ測定を行うことができ、これによりＯＦＤＭ変／復調器の機能・性能調整を行うことができる。また、本発明の実施の際は、同期処理とＢＥＲ測定を自動で行うことができる為、ＢＥＲ測定時に人手を要することなく測定作業を行える。
【００４０】
以上の実施態様の特徴を纏めると次のようになる。
（１）上記実施形態のＢＥＲ測定装置は、同期処理を実行する際に一定周期信号を出力する一定周期信号出力手段と、前記一定周期信号出力手段から出力される前記一定周期信号に基づいて同期信号を生成する同期処理手段と、ＢＥＲ測定を実行する際にＯＦＤＭ変調信号を出力するＯＦＤＭ変調手段と、前記ＯＦＤＭ変調手段から出力される前記ＯＦＤＭ変調信号を入力し前記同期信号を用いてＯＦＤＭ復調するＯＦＤＭ復調手段と、前記ＯＦＤＭ復調手段でＯＦＤＭ復調されたＯＦＤＭ復調信号に基づきＢＥＲ測定を行うＢＥＲ測定手段を備えたことを特徴とする。
（２）また、上記実施形態のＢＥＲ測定装置は、ＯＦＤＭ送信機のＢＥＲ測定装置であって、ＯＦＤＭフレームに合わせた一定周期信号を出力する一定周期信号出力手段と、ＯＦＤＭ変調したＯＦＤＭ変調信号を出力するＯＦＤＭ変調手段と、第１の切替手段と、前記一定周期信号出力手段から出力される前記一定周期信号に基づいて同期信号を生成する同期処理手段と、前記同期信号を用いてＯＦＤＭ復調するＯＦＤＭ復調手段と、ＢＥＲ測定手段と、第２の切替手段を備え、同期処理を実行する際は、前記第１の切替手段を切替えて前記ＯＦＤＭ送信機から前記一定周期信号を出力し、前記第２の切替手段を切替えて前記一定周期信号を入力した前記同期処理手段は前記一定周期信号に基づいて同期信号を生成し、ＢＥＲ測定を実行する際は、前記第１の切替手段を切替えて前記ＯＦＤＭ送信機からＯＦＤＭ変調信号を出力し、前記第２の切替手段を切替えて前記ＯＦＤＭ変調信号を入力した前記ＢＥＲ測定手段は前記同期信号を用いてＯＦＤＭ復調してＢＥＲを測定することを特徴とする。
（３）また、上記実施形態のＢＥＲ測定装置は、前記一定周期信号手段と、前記ＯＦＤＭ変調手段を、前記ＯＦＤＭ送信機に備えたことを特徴とする。
（４）また、上記実施形態のＢＥＲ測定装置は、前記一定周期信号が、ＯＦＤＭフレームの先頭位置から所定期間、特定の一定値となっていることを特徴とする。
（５）また、上記実施形態のＢＥＲ測定装置は、前記ＯＦＤＭ変調信号が、ＰＮ９段のＮ系列ランダムパターンであることを特徴とする。
【００４１】
以上、本発明を具体的な実施形態で説明したが、本発明は上記実施形態に限定されないことは言うまでもない。
【符号の説明】
【００４２】
１０・・・ＢＥＲ測定装置
１１・・・ＯＦＤＭ変調器
１２・・・ＯＦＤＭ復調器
１３・・・ＯＦＤＭ変調処理部
１５・・・信号ケーブル
１６・・・Ｄ／Ａコンバータ
１８・・・Ａ／Ｄコンバータ
１９・・・ＯＦＤＭ復調処理部
２１・・・同期処理部
２２・・・同期用トーン信号生成部（一定周期信号出力手段）
２３・・・ＢＥＲ測定処理部
２４・・・ＰＮ９データ生成部
２５・・・マッピング部
２６・・・フーリエ逆変換部（ＩＦＦＴ）
２７・・・ガードインターバル付加部
２８・・・出力切替部
３１・・・同期処理部（同期処理手段）
３２・・・同期信号生成部
３３・・・ＢＥＲ測定処理部
３４・・・入力切替部
３５・・・ガードインターバル除去部
３６・・・フーリエ変換部（ＦＦＴ）
３７・・・デマッピング部
３８・・・ＢＥＲ測定部（ＢＥＲ測定手段）
５１・・・フレーム
５２・・・疑似ＯＦＤＭ変調信号（ＯＦＤＭ変調信号）
５３・・・フレーム先頭位置
５４・・・一定値期間
５５・・・トーン信号期間
５６・・・同期用トーン信号（一定周期信号）
６１、６１−１〜６１−ｎ・・・同期用受信バッファ
【図１】
2011030070.tif 000003
【図２】
2011030070.tif 000004
【図３】
2011030070.tif 000005
【図４】
2011030070.tif 000006
【図５】
2011030070.tif 000007
【図６】
2011030070.tif 000008
【図７】
2011030070.tif 000009
【図８】
2011030070.tif 000010